(57)【特許請求の範囲】
【請求項１】
同一コンテンツを再生時使用コンテンツ及び編集時用コンテンツの同期映像として作成する二次コンテンツ生成システムであり、
前記再生時使用コンテンツを再生用格納装置に格納する再生時使用コンテンツ格納手段と、
前記再生時使用コンテンツより時間分解能の高い編集用コンテンツを編集用格納装置に格納する編集時使用コンテンツ格納手段と、
編集に利用する番組番号，時間軸編集の並び順情報，番組から必要なセグメントを切り出すための切出し位置情報を設定する番組編集の情報設定手段と、
二次コンテンツ編集情報を端末からサーバに送信するコンテンツ編集情報送出手段と、
端末から入力される再生時使用コンテンツより生成した編集情報に基いて前記編集用格納装置から編集に必要な番組を編集順に、かつ使用するセグメントを抜き出して、サーバ内のデコーダに連続して伸張再生し、さらにエンコーダにて編集時コンテンツより１ＧＯＰにおけるＩフレーム数の占める割合が小さくなるように、高圧縮してデジタル化した二次コンテンツを生成し、再生時使用コンテンツとしてサーバに登録する二次コンテンツ生成手段と
を具備することを特徴とする二次コンテンツ生成システム。
【請求項２】
同一コンテンツを、所定の時間単位で時刻識別したマーカ情報が組み入れられた再生時使用コンテンツと、該再使用コンテンツより時間分解能の高い編集時使用コンテンツとの２種類のコンテンツがあり、再生時使用コンテンツを再生用格納装置へ、編集用コンテンツを編集用格納装置へ格納し、
再生時使用コンテンツは利用者からの番組要求により、サーバから端末に送信され、この端末においては前記再生用コンテンツの検索により、編集に使用する１つあるいは複数の再生用コンテンツを選定し、スロー再生とコマ送り再生により、該コンテンツから使用するセグメントの切り出し位置を目視選定し、抽出した複数のセグメントを時間軸方向で編集するための並べ順序を選定し、選択番組情報，切り出し位置情報，及び並び順序情報からなる編集情報として、前記端末から前記サーバに送信し、
このサーバでは前記編集情報をもとに、前記編集用格納装置から編集対象の編集時使用コンテンツを選択し、使用するセグメントを抜き出し、編集順序に従い使用対象のセグメントを結合した後にデコーダにて伸張し、さらに、編集時使用コンテンツより低い時間分解能でデジタル高圧縮して再生用コンテンツとして前記再生用格納装置へ登録及び蓄積することを特徴とする二次コンテンツ生成方法。
【請求項３】
請求項１に記載の二次コンテンツ生成システムを用いて、二次コンテンツ生成を行う二次コンテンツ生成プログラムを記録したコンピュータ読み取り可能な記録媒体であって、
前記二次コンテンツ生成プログラムは、
再生時用コンテンツと、この再生時用コンテンツに対して映像の組立／再生に必要なフレーム構成数が少ない編集時用コンテンツとの２種類に各コンテンツを分類し、再生時用コンテンツを再生用格納装置へ、編集時用コンテンツを編集用格納装置へ、各々独立に格納する処理と、
再生時用コンテンツに所定の時間単位で時刻識別したマーカ情報を組み入れ、利用者からの番組要求により、サーバから端末に送信する処理と、
該端末において、前記再生時用コンテンツの検索により、編集に使用する１つあるいは複数の再生時用コンテンツを選定する処理と、
スロー再生とコマ送り再生により、該コンテンツから使用するセグメントの切り出し位置を目視選定し、抽出した複数のセグメントを時間軸方向で編集するための並べ順序を選定し、選択番組情報，切り出し位置情報，及び並び順序情報からなる編集情報として、前記端末から前記サーバに送信する処理と、
該サーバにおいて、前記編集情報をもとに、前記編集用格納装置から編集対象のコンテンツを選択し、使用するセグメントを抜き出し、編集順序に従い使用対象のセグメントを結合した後にデコーダにて伸張する処理と、
デジタル高圧縮して再生時用コンテンツとして前記再生用格納装置へ登録及び蓄積する処理と
をコンピュータに行わせることを特徴とする二次コンテンツ生成プログラムを記録した記録媒体。
【発明の詳細な説明】
【０００１】
【発明の属する技術分野】
本発明は、リクエスト型マルチメディア（映像・音声・静止画・テキスト）情報提供システムやアーカイヴの配給を行うシステムが設けられたセンタなどにおいて、蓄積装置にディジタル映像・音声・静止画・テキスト等のコンテンツを蓄積し、コンテンツの２次利用を行うための二次コンテンツ生成システムおよびその方法に関するものである。
【０００２】
【従来の技術】
現在、ユーザが見たいときに見たいコンテンツ（映像情報）を選択して、このコンテンツを参照し、任意のシーンを切り取り、複数のシーンをつなぎあわせて一つの  番組を作成する等が行えるサービスとしての、スクリプト型のＶＯＤ（Ｖｉｄｅｏ  Ｏｎ  Ｄｅｍａｎｄ）システムは実現されている。
【０００３】
しかしながら、このＶＯＤシステムは、クライアント（ユーザ）側で編集情報を管理し、コンテンツにおける必要な部分を再生して、連結する方法が用いられている。
この場合には、サーバ側において、ユーザに配給するコンテンツに対するコンテンツ管理が関係してくる。
【０００４】
ここで、コンテンツのアクセス単位をｎ秒単位で行うようにサーバが管理していれば、コンテンツの時間軸における分解能はｎとなる。
この分解能を細かくし精度の高い編集を行うためには、サーバ側でのコンテンツの読み出し単位を細かくする（映像の構成単位のフレーム数を少なくする）必要があることと、クライアント側がコンテンツの切り出し単位を識別できる機能とが必要である。上記映像の構成単位は、映像の組立（符号化）／再生（アクセス）に必要なフレーム構成の単位（ＧＯＰ：Ｇｒｏｕｐ  ｏｆ  ｐｉｃｔｕｒｅｓ）を示している。
【０００５】
【発明が解決しようとする課題】
しかしながら、上述した従来のＶＯＤシステムには、コンテンツの読み出し単位が細かくなく、コンテンツの切り出し単位を認識する機能がないため、分解能をより細かくすることが出来ないと言う欠点がある。
【０００６】
また、クライアントが一次コンテンツとしての映像情報から、自由に部分映像であるセグメントを抽出し、二次コンテンツを作成するためには、クライアント側端末で切り出しツールを用意したり、切り出した結果を保存する必要がある。しかしながら、上述したシステムでは、クライアント端末に二次コンテンツ作成ツールを準備したり、クライアント端末の処理能力を向上させたり、複数のコンテンツを編集して記憶するための大容量の記憶装置が必要となり、経済的な負担が大きくなる。
【０００７】
本発明はこのような背景の下になされたもので、二次コンテンツを簡単に作成・編集でき、かつ、この二次コンテンツを再利用でき、また、二次コンテンツの登録に対して、映像の品質保持や登録手順が容易に行え、端末やサーバに負担が少なく、精度の高い編集が可能な二次コンテンツ生成システム及びその方法を提供することにある。
【０００８】
【課題を解決するための手段】
本発明による二次コンテンツ生成システムは、同一コンテンツを再生時使用コンテンツ及び編集時用コンテンツの同期映像として作成しており、再生時使用コンテンツを再生用格納装置に格納する再生時使用コンテンツ格納手段と、再使用コンテンツより時間分解能の高い編集用コンテンツを編集用格納装置に格納する編集時使用コンテンツ格納手段と、編集に利用する番組番号，時間軸編集の並び順情報，番組から必要なセグメントを切り出すための切出し位置情報を設定する番組編集の情報設定手段と、二次コンテンツ編集情報を端末からサーバに送信するコンテンツ編集情報送出手段と、端末から入力される再生時使用コンテンツより生成した編集情報に基いて前記編集用格納装置から編集に必要な番組を編集順に、かつ使用するセグメントを抜き出して、サーバ内のデコーダに連続して伸張再生し、さらにエンコーダにて編集時コンテンツより１ＧＯＰにおけるＩフレーム数の占める割合が小さくなるように、高圧縮してデジタル化した二次コンテンツを生成し、再生時使用コンテンツとしてサーバに登録する二次コンテンツ生成手段とを具備することを特徴とする。
【０００９】
本発明の二次コンテンツ生成方法は、同一コンテンツを所定の時間単位で時刻識別したマーカ情報が組み入れられた再生時使用コンテンツと、該再使用コンテンツより時間分解能の高い編集時使用コンテンツとの２種類のコンテンツがあり、再生時使用コンテンツを再生用格納装置へ、編集用コンテンツを編集用格納装置へ格納し、再生時使用コンテンツは利用者からの番組要求により、サーバから端末に送信され、この端末においては前記再生用コンテンツの検索により、編集に使用する１つあるいは複数の再生用コンテンツを選定し、スロー再生とコマ送り再生により、該コンテンツから使用するセグメントの切り出し位置を目視選定し、抽出した複数のセグメントを時間軸方向で編集するための並べ順序を選定し、選択番組情報，切り出し位置情報，及び並び順序情報からなる編集情報として、前記端末から前記サーバに送信し、このサーバでは前記編集情報をもとに、前記編集用格納装置から編集対象の編集時使用コンテンツを選択し、使用するセグメントを抜き出し、編集順序に従い使用対象のセグメントを結合した後にデコーダにて伸張し、さらに、編集時使用コンテンツより低い時間分解能でデジタル高圧縮して再生用コンテンツとして前記再生用格納装置へ登録及び蓄積することを特徴とする。
【００１０】
本発明は、二次コンテンツ生成を行う二次コンテンツ生成プログラムを記録したコンピュータ読み取り可能な記録媒体であって、前記二次コンテンツ生成プログラムが、再生時用コンテンツと、この再生時用コンテンツに対して、映像の構成単位のフレーム数が少ない編集時用コンテンツとの２種類に各コンテンツを分類し、再生時用コンテンツを再生用格納装置へ、編集時用コンテンツを編集用格納装置へ、各々独立に格納する処理と、再生時用コンテンツに所定の時間単位で時刻識別したマーカ情報を組み入れ、利用者からの番組要求により、サーバから端末に送信する処理と、該端末において、前記再生時用コンテンツの検索により、編集に使用する１つあるいは複数の再生時用コンテンツを選定する処理と、スロー再生とコマ送り再生により、該コンテンツから使用するセグメントの切り出し位置を目視選定し、抽出した複数のセグメントを時間軸方向で編集するための並べ順序を選定し、選択番組情報，切り出し位置情報，及び並び順序情報からなる編集情報として、前記端末から前記サーバに送信する処理と、該サーバにおいて、前記編集情報をもとに、前記編集用格納装置から編集対象のコンテンツを選択し、使用するセグメントを抜き出し、編集順序に従い使用対象のセグメントを結合した後にデコーダにて伸張する処理と、デジタル高圧縮して再生時用コンテンツとして前記再生用格納装置へ登録及び蓄積する処理とをコンピュータに行わせることを特徴とする。
【００１１】
【発明の実施の形態】
以下、図面を参照して本発明の実施形態について説明する。図１は本発明の一実施形態による二次コンテンツ生成システムの構成例を示すブロック図である。この図において、ユーザのクライアント側端末（以下、端末）１とアーカイヴサーバ２とは、情報通信回線３を介して接続されている。ここで、情報通信回線３は、インターネットやＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線を示している。
【００１２】
アーカイヴサーバ２は、番組（映像データ等のコンテンツ）を蓄積するコンテンツ蓄積装置２Ａと、この番組に対応した権利情報，内容紹介情報（シナリオ、代表画面）を管理するデータベース２Ｂとを有している。
ここで、上記代表画面は、ＢＭＰ（ビットマップ）形式で添付しても良いし、また、ＢＭＰ形式に限定されることなく、例えばＧＩＦ（Ｇｒａｐｈｉｃ  Ｉｎｔｅｒｃｈａｎｇｅ  Ｆｏｒｍａｔ），ＪＰＥＧ（Ｊｏｉｎｔ  Ｐｈｏｔｏｇｒａｐｈｉｃ  Ｅｘｐｅｒｔ  Ｇｒｏｕｐ）などのいずれの形式であっても良い。
【００１３】
また、コンテンツ蓄積装置２Ａは、再生時用コンテンツ格納部と編集時用コンテンツ格納部とに分割されており、各々の格納部において、蓄積されている各コンテンツ（番組：１分〜３０分程度が主体）単位に、各々単数または複数の検索用のキーワードが付与されている。
【００１４】
また、アーカイヴサーバ２は、同一コンテンツに対して、上記再生時用コンテンツ及び編集時用コンテンツを同期映像として作成し、各々を上記再生時用コンテンツ格納部，編集時用コンテンツ格納部へ格納する。
ユーザは、端末１を介してアーカイヴサーバ２へ、上記キーワードを送信することにより、上記セグメントのシナリオ（テキスト），代表画面，セグメントを関連させて閲覧することができる。
【００１５】
編集時用コンテンツ及び再生時用コンテンツ各々に複数の特徴部分が有れば、この特徴部分は、キーワードとして、編集時用コンテンツ及び再生時用コンテンツへ添付される。
そして、キーワードは、単数の場合も有れば、複数の組み合わせ（オア検索またはアンド検索）として、各ユーザが保有する端末１から入力される。
【００１６】
また、上述した各セグメントは、クライアント側における閲覧に適した再生時用コンテンツ（再生時に使用）が再生時用コンテンツ格納部に蓄積され、サーバ側での二次コンテンツ作成に適した編集時用コンテンツ（サーバ側での編集作業時に使用）が編集時用コンテンツ格納部に蓄積されている。
【００１７】
次に、図１及び図２を参照し、一実施形態による二次コンテンツ生成システムの動作例を説明する。図２は、ユーザが編集に用いる再生時用コンテンツを検索する処理の流れを示したフローチャートである。
検索手順としては、ユーザが端末２からキーワードを入力する（ステップＳ１）。アーカイヴサーバ２は、入力されるキーワードに基づき、再生時用コンテンツ格納部において再生時用コンテンツの検索を行う（ステップＳ２）。
【００１８】
アーカイヴサーバ２は、再生時用コンテンツの内容紹介情報であるシナリオＳ１，Ｓ２，Ｓ３や、その再生時用コンテンツの代表画面Ｆ１，Ｆ２，Ｆ３を、端末１に送信する（ステップＳ３）。
そして、端末１は、再生時用コンテンツ（番組）Ｖ１，Ｖ２，Ｖ３に対応して入力される内容紹介情報である、シナリオＳ１，Ｓ２，Ｓ３及び代表画面Ｆ１，Ｆ２，Ｆ３を表示画面に画像表示し、ユーザはこの表示された内容紹介情報を確認する（ステップＳ４）。
【００１９】
ここで、ユーザは、送信したキーワードにより検索された再生時用コンテンツＶ１，Ｖ２，Ｖ３の内容紹介情報を確認した後、この再生時用コンテンツを閲覧したい場合、再生時用コンテンツに対応した番組番号を端末１から送信することにより、アーカイヴサーバ２に閲覧したい再生時用コンテンツの送信を要求する（ステップＳ５）。
これにより、アーカイヴサーバ２は、入力された番組番号の再生時用コンテンツを、再生時用コンテンツ格納部から検索し、検索された再生時用コンテンツ（番組）を端末１へ送信する（ステップＳ６）。
【００２０】
そして、端末１は、閲覧を要求した再生時用コンテンツを受信し、表示画面にこの再生時用コンテンツ、例えば映像を再生する（ステップＳ７）。
この後、ユーザは、時系列的に画面に表示される再生時用コンテンツから、二次コンテンツの編集に必要な再生時用コンテンツを順次選択し、時間軸編集情報（編集情報）として、使用する再生時用コンテンツの番組番号，時間軸編集の並び順情報，使用する編集時用コンテンツのなかで実使用のセグメントを切り出すための切り出し情報、また二次コンテンツの編集付帯情報として、二次コンテンツの映像名，二次コンテンツのキーワード，二次コンテンツの編集者名の情報と共に端末１に入力する（ステップＳ８）。
そして、端末１は、上記時間軸編集情報及び上記編集付帯情報を、アーカイヴサーバ２に送信する（ステップＳ８）。
【００２１】
次に、図３を用いて、端末１におけるユーザ側での上記時間軸編集情報の作成方法の処理を説明する。図３は、時間軸編集情報作成方法の処理例を示す概念図である。この時間軸編集情報作成は、アーカイヴサーバ２における二次利用コンテンツ作成のための前段階である。
【００２２】
例えば、再生時用コンテンツにおいて、セグメントとして識別し、切り出し可能な単位としての区間映像の分解能が０．２秒単位の場合で説明する。
ユーザは、端末いの表示画面において、各再生コンテンツのスロー再生及びコマ送り再生により、この再生時用コンテンツ（ブロック再生時使用映像）に可視性のある状態で刻印された（組み込まれている）、再生時用コンテンツの先頭からの秒位置情報と、１／５秒（０．２秒）単位の区間番号情報（１〜５が刻印）との時刻情報（マーカ情報）を目視で確認する。
【００２３】
そして、ユーザは、再生時用コンテンツにおいて必要なセグメントの時間軸上の切り出し範囲を示すため、先頭位置（ｍ秒のｉ番目の区間）と終端位置（ｎ秒のｊ番目の区間）と、例えば、切り出し先頭位置（０秒の３番目の区間）と終端位置（１秒の２番目の区間）とを切り出し情報として指定する。
ユーザは、上記切り出し情報の設定における指定のセグメント（部分映像）のクリップ（切り出し）指定を、映像の識別の分解能として０．２秒の区間映像単位で行い、この設定された切り出し情報を時間軸編集情報の１つとしてアーカイヴサーバ２に送信する。
【００２４】
この結果、アーカイヴサーバ２は、上記切り出し情報に基づき、切り出し位置が「ｍ＋（ｉ−１）×０．２秒目」から「ｎ＋ｊ×０．２秒目」までの映像の区間において、コンテンツから上記セグメントの切り出しを行うものとして管理する。
また、ユーザは、二次コンテンツを生成するときに、各再生時用コンテンツから切り出したセグメントを接合する順番を設定し、この順番を時間軸編集情報の並び順情報として、アーカイヴサーバ２ヘ送信する。
さらに、ユーザは、上記並び順情報と共に、セグメントの切り出しを行った角再生時用コンテンツの番組番号を、時間軸編集情報の１部としてアーカイヴサーバ２ヘ送信する。
【００２５】
これにより、端末１においては、アーカイヴサーバ２から時系列に再生時用コンテンツを入力し、入力順に、この再生時用コンテンツから必要なセグメントを切り出し、この切り出されたセグメントを接合して二次コンテンツの生成のための編集作業を行う。
このとき、切り出された後の再生時用コンテンツは、端末１により、順次消去される。
【００２６】
したがって、本発明の二次コンテンツ生成システムの端末１は、使用後の再生時用コンテンツを内部記憶部から順次消去していくため、再生時用コンテンツを複数作業用として一時記憶させることがないので、大容量の記憶装置を設ける必要がない。
【００２７】
また、ユーザは、本発明の二次コンテンツ生成システムを用いることにより、スロー再生及びコマ送りにより、再生時用コンテンツに示された、先頭からの秒位置情報及び区間番号情報を目で確認して、映像における位置情報を分解能０．２秒単位で識別できるため、再生時用コンテンツからセグメントを、分解能０．２秒単位で切り出しの範囲を選択することが容易に行えるので、微妙なタイミングのセグメント間の接合が誰にでも簡単に行え、二次コンテンツを生成することができる。
さらに、ユーザは、上述したように、編集付帯情報（編集した二次コンテンツの映像名，新たに付与するキーワード，編集した編集者名）をアーカイヴサーバ２ヘ送信する。
【００２８】
次に、図４には、時間軸編集により作成された二次コンテンツのアーカイヴサーバ２ヘの投入原理が示されている。
アーカイヴサーバ２における編集時用コンテンツ格納部には、例えば、分解能０．２秒とした、ＭＰＥＧ（Ｍｏｖｉｎｇ  Ｐｉｃｔｕｒｅ  Ｅｘｐｅｒｔｓ  Ｇｒｏｕｐ）２符号化圧縮（１０Ｍｂｐｓ、１ＧＯＰ（Ｇｒｏｕｐ  ｏｆ  Ｐｉｃｔｕｒｅｓ）＝６フレーム，ＭＰ＠ＭＬ（Ｍａｉｎ  Ｐｒｏｆｉｌｅ  ａｔ  Ｍａｉｎ  Ｌｅｖｅｌ）での符号化でのフレーム構成を（ＩＢＢＰＢＢ）とされた編集時用コンテンツ（映像情報）が格納されている。
ここで、６フレームで１ＧＯＰとされているため、１秒が３０フレームであるので、１秒当たり５ＧＯＰとなり、編集時用コンテンツの映像の分解能は、０．２秒となる。
編集時用コンテンツのＧＯＰのフレーム数は、編集精度を高くするため、後に説明する再生時用コンテンツのＧＯＰのフレーム数より少なく設定されている。すなわち、１秒単位でのフレーム数は同じであるが、編集時使用コンテンツのＧＯＰ（映像符号化／再生のためのフレーム構成単位）は、再生時使用コンテンツのＧＯＰに比べてフレーム数が少なく構成されている
【００２９】
ここで、ＭＰＥＧ２符号化圧縮でのＢ、Ｉ、Ｐは、各々Ｂ（Ｂｉｄｉｒｅｃｔｉｏｎａｌｌｙ  Ｐｒｅｄｉｃｔｉｖｅ：双方向予測）フレーム、Ｉ（Ｉｎｔｒａ：イントラ）フレーム、Ｐ（Ｐｒｅｄｉｃｔｉｖｅ：予測）フレームである。
また、編集時用コンテンツの映像の分解能を、０．２秒でなく、０．１秒とする場合には、ＳＰ＠ＭＬでのＭＰＥＧ２符号化圧縮で１ＧＯＰの構成を３フレーム（ＩＰＰ）として行うことで対応できる。
【００３０】
次に、上述した図４及び図５を用いて、アーカイヴサーバ２における二次コンテンツの登録手順を説明する。図５は、二次コンテンツの登録手順の処理例の流れを示すフローチャートである。
▲１▼  端末１（クライアント側）から２次コンテンツの時間軸編集情報（編集情報）及び編集付帯情報がアーカイヴサーバ２に送信される（ステップＳ１０）。
【００３１】
▲２▼  アーカイヴサーバ２は、上記時間軸編集情報に基づいて、二次コンテンツの編集に使用するため、ユーザが送信した再生時用コンテンツの番組番号に対応する編集時用コンテンツを、コンテンツ蓄積装置２Ａ（格納装置）の編集時用コンテンツ格納部（編集時使用）から検索して取り出す（ステップＳ１１）。
このとき、アーカイヴサーバ２は、セグメントを編集時用コンテンツから取り出すとき、セグメントの切り出し情報をもとに、編集時用コンテンツａ，ｂ，ｃから不要部分をカットして、必要なセグメントａ’，ｂ’，ｃ’のみを取り出す。
【００３２】
▲３▼  アーカイヴサーバ２は、切り出したセグメントａ’，ｂ’，ｃ’を、ユーザが並び順情報により指定した各セグメントの並び順に合わせて、内部バッファ内において、例えば、各セグメントをセグメントｂ’，ｃ’，ａ’の順番に結合（連結）する（ステップＳ１２）。
▲４▼  アーカイヴサーバ２は、セグメント結合されたＭＰＥＧ２データ（ｂ’ｃ’ａ’）を、ＭＰＥＧ２デコーダを通すことにより伸張し、例えばＮＴＳＣ（Ｎａｔｉｏｎａｌ  Ｔｅｌｅｖｉｓｉｏｎ  Ｓｙｓｔｅｍ  Ｃｏｍｍｉｔｅｅ）方式のフォーマットとする（ステップＳ１３）。
【００３３】
▲５▼  アーカイヴサーバ２は、結合されたＮＴＳＣの連結映像（Ｓ＝ｂ’ｃ’ａ’）を、ＭＰＥＧ２エンコーダを通すことにより，ＭＰＥＧ２符号化圧縮（６Ｍｂｐｓ、１ＧＯＰ＝１５フレーム、ＭＰ＠ＭＬの符号化でフレーム構成を（ＩＢＢＰＢＢＰＢＢＰＢＢＰＢＢ）とする）により、閲覧用の二次コンテンツとして、コンテンツ蓄積装置２Ａ（格納装置）の再生時用コンテンツ格納部（閲覧時使用）に格納する（ステップＳ１４）。
ここで、１５フレームで１ＧＯＰとされているため、１秒が３０フレームであるので、１秒当たり２ＧＯＰとなり、再生時用コンテンツの映像の分解能は、０．５秒となる。
【００３４】
再生時用コンテンツが編集時用コンテンツに比較し、ＧＯＰ当たりのＩフレームの占める割合が少ないため、圧縮したときのデータ量が少なくすみ、アーカイヴサーバ２からの再生時用コンテンツのデータ転送量を減少させることができ、画像の一時記憶に用いる、端末１側の記憶部の容量を少なくすることができる。
▲６▼  アーカイヴサーバ２は、端末１から時間軸編集情報と共に送られてきた、編集付帯情報である二次コンテンツの映像名，キーワード，及び編集者名のコンテンツ蓄積装置２Ａへの登録を、二次コンテンツに関連させて行い、二次コンテンツとしての登録を行う（ステップＳ１５）。
【００３５】
上述した一実施形態の二次コンテンツ生成システムは、ユーザが端末１から時間軸編集情報及び編集付帯情報のみをアーカイヴサーバ２に送信するため、端末１側に二次コンテンツ作成ツールを準備したり、大容量のコンテンツを編集して記憶するための大容量の記憶装置が必要なく、クライアント側（端末１）における設備の負担が少ない。
【００３６】
また、一実施形態の二次コンテンツ生成システムは、上述したように、編集時用コンテンツからのセグメントの切り出しにおいて、最小０．１秒単位の分解能での微調整が可能であるため、セグメント（部分映像）の使用しない部分のカットが細かく調整でき、二次コンテンツの編集精度が高くなり、余分な内容がセグメントに含まれないため、簡潔な編集内容の二次コンテンツの生成が行える。
【００３７】
さらに、一実施形態の二次コンテンツ生成システムは、同一コンテンツを再生時用コンテンツ及び編集時用コンテンツの同期映像として作成し、編集時使用コンテンツに対して、再生時使用コンテンツの映像の構成単位におけるＩフレームの占める割合が少ないため、再生時使用コンテンツを圧縮したときのデータ量を編集時使用コンテンツに比べ少なくすることができ、、ユーザに再生時使用コンテンツを送信するとき、通信の効率を高くする必要が無く、かつ、ユーザが、編集時使用コンテンツと同様の高画質映像の再生利用コンテンツにより、二次コンテンツの編集情報を作成することが可能となる。
【００３８】
また、図２及び図５に示す各ステップを実現するためのプログラムをコンピュータ読み取り可能な記録媒体に記録して、この記録媒体に記録されたプログラムをコンピュータシステムに読み込ませ、実行することにより図形表示処理を行ってもよい。なお、ここでいう「コンピュータシステム」とは、ＯＳや周辺機器等のハードウェアを含むものとする。また、「コンピュータ読み取り可能な記録媒体」とは、フロッピーディスク、光磁気ディスク、ＲＯＭ、ＣＤ−ＲＯＭ等の可般媒体、コンピュータシステムに内蔵されるハードディスク等の記憶装置のことをいう。
【００３９】
さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４０】
以上、本発明の一実施形態を図面を参照して詳述してきたが、具体的な構成はこの実施形態に限られるものではなく、本発明の要旨を逸脱しない範囲の設計変更等があっても本発明に含まれる。
【００４１】
【発明の効果】
本発明の二次コンテンツ生成システムによれば、編集情報のみをサーバ（アーカイヴサーバ２）に送信するため、端末（端末１）が、二次コンテンツ作成ツールを準備したり、大容量のコンテンツを編集して記憶するための大容量の記憶装置を設ける必要がなく、端末側（クライアント）における設備の負担が少ないシステム構成とすることが可能となる。
【００４２】
また、本発明の二次コンテンツ生成システムによれば、編集時用コンテンツからのセグメントの切り出しにおいて、最小０．１秒単位の分解能による微調整が可能であるため、セグメント（部分映像）の使用しない部分のカットが細かく調整でき、二次コンテンツの編集精度が高くなり、余分な内容がセグメントに含まれないため、簡潔な編集内容の二次コンテンツの生成が行える効果がある。
【００４３】
さらに、本発明の二次コンテンツ生成システムによれば、同一コンテンツを再生時用コンテンツ及び編集時用コンテンツの同期映像として作成し、編集時使用コンテンツに対して、再生時使用コンテンツの映像の構成単位におけるＩフレームの占める割合が少ないため、再生時使用コンテンツを圧縮したときのデータ量を編集時使用コンテンツに比べ少なくすることができ、、ユーザに再生時使用コンテンツを送信するとき、通信の効率を高くする必要が無く、かつ、ユーザが、編集時使用コンテンツと同様の高画質映像の再生利用コンテンツにより、二次コンテンツの編集情報を作成することが可能となる。
【図面の簡単な説明】
【図１】本発明の一実施形態による二次コンテンツ生成システムの構成例を示すブロック図である。
【図２】図１の二次コンテンツ生成システムの動作例を示すフローチャートである。
【図３】図２のフローチャートにおける時間軸編集情報作成方法の処理例を説明する編集時用コンテンツの概念図である。
【図４】本発明の一実施形態による二次コンテンツ生成システムのアーカイヴサーバ２への投入原理が示された概念図である。
【図５】図１の二次コンテンツ生成システムの動作例を示すフローチャートである。
【符号の説明】
１  端末
２  アーカイヴサーバ
２Ａ  コンテンツ蓄積装置
２Ｂ  データベース
３  情報通信端末
Ｆ１，Ｆ２，Ｆ３  代表画面
Ｓ１，Ｓ２，Ｓ３  シナリオ
Ｖ１，Ｖ２，Ｖ３  映像
【図１】
0003581085.tif 000002
【図２】
0003581085.tif 000003
【図３】
0003581085.tif 000004
【図４】
0003581085.tif 000005
【図５】
0003581085.tif 000006